(57)【要約】【課題】  受信した画像をネットワークを介して公開する画像管理サーバにおいて、画像登録者が送信した画像を画像登録者に手間をかけさせることなく公開できるようにする。【解決手段】  画像登録者が通信端末５から画像管理サーバ１に画像を送信する。画像管理サーバ１は画像が送信された単位にて、画像を公開する画像閲覧画面を表示するためのホームページを作成する。ホームページのＵＲＬは画像登録者が指定したメールアドレスに送信される。利用者がＵＲＬを参照して画像管理サーバ１にホームページにより表される画像閲覧画面の表示の指示を行うと、利用者の通信端末５に画像閲覧画面が表示される。【選択図】          図１
2005250651.tif 000002
【特許請求の範囲】
【請求項１】
画像登録者の通信端末から送信された画像を受信し、該受信した画像をネットワークを介して前記画像登録者が指定した利用者に公開する画像管理サーバであって、
前記画像登録者の通信端末から送信された前記画像を受信する画像受信手段と、
該画像受信手段が受信した画像を記録する記録手段と、
該画像受信手段が画像を受信した単位にて、該画像を公開するためのホームページを作成するホームページ作成手段と、
該ホームページを前記ネットワークを介して公開する情報を送信する送信手段とを備えたことを特徴とする画像管理サーバ。
【請求項２】
前記画像登録者および前記利用者の通信端末から、画像に関するサービス提供指示を受信するサービス提供指示受信手段と、
該サービス提供指示受信手段が受信したサービス提供指示に基づいて、画像に関するサービスを提供するサービス提供手段とを備えたことを特徴とする請求項１記載の画像管理サーバ。
【請求項３】
前記記録手段に、前記画像登録者と関連づけて、当該画像管理サーバの利用料金の請求情報を記録する基本料金集計手段をさらに備えたことを特徴とする請求項１または２記載の画像管理サーバ。
【請求項４】
前記記録手段に、前記画像登録者および前記利用者と関連づけて、前記提供したサービスの利用料金の請求情報を記録する利用料金集計手段をさらに備えたことを特徴とする請求項１から３のいずれか１項記載の画像管理サーバ。
【発明の詳細な説明】
【技術分野】
【０００１】
本発明は、画像管理サーバに関し、とくに画像登録者が送信した画像を受信してその受信した画像をインターネット等の通信網を介して利用者に公開し、公開した画像に関するサービスを提供する画像管理サーバに関するものである。
【背景技術】
【０００２】
従来から、利用者がインターネット等のネットワークを介して画像を記録する画像管理サーバが知られている。このような画像管理サーバにおいては、画像を登録する登録者が画像の管理料金（画像管理サーバの利用料金）を支払うことによって、画像を管理する者（画像管理サーバを管理する者）から所定の画像の記録領域を借りることが可能となっている。
【０００３】
また、画像登録者が画像管理サーバに送信した画像を利用者に閲覧させる画像閲覧画面を表示するためのホームページを作成し、そのホームページのＵＲＬを画像登録者の友人や家族等に電子メール等により通知することにより、画像登録者以外の利用者に対して、画像データを閲覧可能とするサービスも提供されている。また、このようなサービスにおいては、利用者が所望する画像についてのプリントや、携帯電話への送信、ＣＤ−Ｒ等のメディアへの書き込み等の指示を行うことにより、プリント、携帯電話への送信およびＣＤ−Ｒへの書き込みという、画像に関するサービスを受けることも可能である。これにより、画像登録者のみならず、画像登録者以外の利用者も画像に関するサービスを受けることが可能となる。
【０００４】
また、利用者が利用したサービスに対する利用料金に応じて画像登録者に対して料金を還元するようにした画像管理サーバが提案されている（特許文献１参照）。特許文献１に記載の画像管理サーバは、画像登録者の友人等ではなく、一般の利用者を対象としているものであり、画像登録者には一般の利用者が利用したサービスの利用料金に応じて還元がなされるため、画像管理サーバにとっても画像登録者にとっても、利益を上げることができる。
【特許文献１】特開２００３−３０３１１号公報
【発明の開示】
【発明が解決しようとする課題】
【０００５】
しかしながら、従来の画像管理サーバにおいては、画像を公開して利用者に閲覧させるためのホームページを作成するには、画像登録者は、旅行や運動会等のイベント毎に取得した複数の画像データを一旦画像管理サーバに送信した後に、自身の通信端末に画像管理サーバに送信した画像の一覧を表示させ、その一覧からホームページに掲載する画像を選択して画像管理サーバに対してホームページの作成を指示する必要があるため、ホームページの作成、ひいては画像の公開が非常に煩わしいものとなっていた。
【０００６】
本発明は上記事情に鑑みなされたものであり、画像登録者に手間をかけさせることなく、画像登録者が送信した画像を公開できるようにすることを目的とする。
【課題を解決するための手段】
【０００７】
本発明による画像管理サーバは、画像登録者の通信端末から送信された画像を受信し、該受信した画像をネットワークを介して前記画像登録者が指定した利用者に公開する画像管理サーバであって、
前記画像登録者の通信端末から送信された前記画像を受信する画像受信手段と、
該画像受信手段が受信した画像を記録する記録手段と、
該画像受信手段が画像を受信した単位にて、該画像を公開するためのホームページを作成するホームページ作成手段と、
該ホームページを前記ネットワークを介して公開する情報を送信する送信手段とを備えたことを特徴とするものである。
【０００８】
なお、本発明による画像管理サーバにおいては、前記画像登録者および前記利用者の通信端末から、画像に関するサービス提供指示を受信するサービス提供指示受信手段と、
該サービス提供指示受信手段が受信したサービス提供指示に基づいて、画像に関するサービスを提供するサービス提供手段とを備えるようにしてもよい。
【０００９】
また、本発明による画像管理サーバにおいては、前記記録手段に、前記画像登録者と関連づけて、当該画像管理サーバの利用料金の請求情報を記録する基本料金集計手段をさらに備えるようにしてもよい。
【００１０】
また、本発明による画像管理サーバにおいては、前記記録手段に、前記画像登録者および前記利用者と関連づけて、前記提供したサービスの利用料金の請求情報を記録する利用料金集計手段をさらに備えるようにしてもよい。
【発明の効果】
【００１１】
本発明によれば、画像登録者が通信端末から画像を送信すると、画像受信手段が画像を受信し、記録手段が画像を記録する。そして、ホームページ作成手段が、画像受信手段が画像を受信した単位、すなわち画像登録者が画像を送信した単位にて、画像を公開するためのホームページを作成し、送信手段がホームページをネットワークを介して公開する。これにより、画像登録者は、旅行や運動会等のイベント毎に取得した複数の画像を画像管理サーバに送信しさえすれば、画像を公開するホームページが作成されるため、ホームページに掲載する画像を選択したり、画像管理サーバに対してホームページの作成の指示を行う必要がなくなり、その結果、画像登録者に手間をかけさせることなく、画像登録者が送信した画像を公開して利用者に閲覧させることができる。
【００１２】
また、サービス提供指示受信手段により画像登録者および利用者の通信端末からの画像に関するサービス提供指示を受信し、サービス提供手段により画像に関するサービスを提供することにより、画像登録者および利用者に対して、画像登録者が画像管理サーバに送信した画像に関するサービスを提供することができる。
【００１３】
また、記録手段に画像登録者と関連づけて、画像管理サーバの利用料金の請求情報を記録することにより、画像登録者に対する画像管理サーバの利用料金の通知や、利用料金の請求を容易に行うことができる。
【００１４】
また、記録手段に、画像登録者および利用者と関連づけて、提供したサービスの利用料金の請求情報を記録することにより、画像登録者および利用者に対する画像に関するサービスの利用料金の通知や利用料金の請求を容易に行うことができる。
【発明を実施するための最良の形態】
【００１５】
以下、図面を参照して本発明の実施形態について説明する。図１は、本発明の実施形態による画像管理サーバを適用した画像管理システムの構成を示す概略ブロック図である。
【００１６】
図１に示すように、本実施形態による画像管理システムは、画像の保管、公開、画像に関するサービスの提供等を行う画像管理サーバ１と、画像等の情報を送受信する経路となるインターネット等のネットワーク３を介して画像管理サーバ１と接続された、画像のアップロード、ダウンロード、およびプリント注文等を行う利用者または画像の登録者のパソコン５Ａ、ＰＤＡ５Ｂおよび携帯電話５Ｃ等の通信端末５とを備える。
【００１７】
図２は画像管理サーバ１の信号処理系のブロック図である。
【００１８】
図２に示すように、画像管理サーバ１には、ネットワーク３を介して通信端末５等の他の通信機器と情報の送受信を行うためのネットワーク用の送受信手段１１（画像受信手段、送信手段、サービス提供指示受信手段の機能を含む）が設けられている。
【００１９】
また、画像管理サーバ１には、必要に応じて画像や文字等の情報を確認のために表示する表示手段１３と、情報処理手段の指令に基づいて表示手段１３に対して表示用の画像信号を出力する表示制御手段１５と、画像管理サーバ１の管理者が入力手段１７を介して入力した各種情報を読み取って後述する情報処理手段に伝達したり、情報処理手段からの指示に基づいてＬＥＤ等の通知手段に表示指令を出力するＩ／Ｏ１９とが設けられている。
【００２０】
また、画像管理サーバ１には、画像管理サーバ１の全体の制御を行う情報処理手段（ＣＰＵ）２１（ホームページ作成手段、サービス提供手段、基本料金集計手段、利用料金集計手段の機能を含む）と、情報処理手段２１を動作させるプログラムや各種定数が記録されているＲＯＭや情報処理手段２１が処理を実行する際の作業領域となる記録手段であるＲＡＭとから構成されるメモリ２３と、画像管理サーバ１の処理に関する各種定数やネットワーク上の自己の属性情報、ＵＲＬ（Uniform Resource Locators ）、アドレス、サイトアドレス、ゲートウェイ情報ＤＮＳ（Domain Name System）等の接続情報、画像、利用料金とその請求情報、基本料金とその請求情報等の各種情報を記録するハードディスク等の記録手段２５と、時刻を刻むカレンダ時計２７とが設けられている。
【００２１】
画像管理サーバ１内の情報処理手段２１と、送受信手段１１、表示制御手段１５、Ｉ／Ｏ１９、メモリ２３、記録手段２５、およびカレンダ時計２７等を含む各周辺回路とはバス２９により接続されており、情報処理手段２１は各々の周辺回路を制御することが可能となっている。
【００２２】
画像管理サーバ１は、ネットワーク３を介して接続されている利用者の通信端末５から画像ファイル等の情報を受信して、受信した画像等の情報を記録手段２５に記録するとともに、画像等の情報をネットワーク３を介して利用者に提供することが可能となっている。
【００２３】
なお、情報処理手段２１は、利用者を画像管理サーバ１のユーザとして登録する機能、ユーザ認証を行う機能、画像を登録する機能、画像を登録した利用者を画像登録者として登録する機能、登録された画像を閲覧するためのホームページを作成する機能、ホームページをネットワーク３を介して一般に公開する機能、画像のプリントやメディアへの記録を業者等に指示する機能、画像の配信機能、電子メールの送信機能等の各種機能を備えている。
【００２４】
また、情報処理手段２１は、画像の登録者に対する基本料金の提示機能、集計機能および請求機能、画像の利用者に対する利用料金の提示機能、集計機能および請求機能等の各種機能を備えている。
【００２５】
記録手段２５は、利用者を記録する機能、画像を記録する機能、画像を閲覧するためのホームページ等の各種表示画面を表示するためのｈｔｍｌファイルを記録する機能、基本料金および利用料金の記録機能、ホームページを作成する際に使用されるテンプレートを記録する機能を備えている。
【００２６】
以下、本実施形態による画像管理サーバ１を用いた画像の登録方法について説明する。まず、画像管理サーバ１の利用者は、画像管理サーバ１に対してユーザ登録を行う必要がある。図３は、ユーザ登録時に行われる処理を示すフローチャートである。利用者（画像登録者）が画像管理サーバ１に対してユーザ登録を希望する場合、利用者は通信端末５を操作して、ネットワーク３を介して画像管理サーバ１と通信の接続を行う。これにより処理が開始され、利用者は通信端末５からユーザ登録を行うために、ユーザの氏名、住所、電話番号、メールアドレスおよびクレジットカード番号等のユーザ情報を画像管理サーバ１に送信する（ステップＳ１）。
【００２７】
画像管理サーバ１の情報処理手段２１は、送信されたユーザ情報をユーザ管理テーブルとして記録手段２５に記録するとともにユーザＩＤを発行する（ステップＳ２）。なお、ユーザ管理テーブルには、ユーザＩＤと対応づけて、ユーザの氏名、住所、電話番号、メールアドレスおよびクレジットカード番号等のユーザ情報が登録される。そして、送受信手段１１がユーザＩＤを利用者の通信端末５に送信する（ステップＳ３）。利用者の通信端末５がユーザＩＤを受信することにより利用者はユーザＩＤを取得し（ステップＳ４）、処理を終了する。
【００２８】
次いで、画像登録時に行われる処理について説明する。図４は画像の登録時に行われる処理を示すフローチャートである。利用者が通信端末５を操作して、ネットワーク３を介して画像管理サーバ１と通信の接続を行うことにより処理が開始され、利用者は通信端末５からユーザＩＤを入力してユーザＩＤを画像管理サーバ１に送信する（ステップＳ１１）。
【００２９】
画像管理サーバ１の送受信手段１１はユーザＩＤを受信し、情報処理手段２１がユーザ認証を行う（ステップＳ１２）。ユーザ認証がなされると、利用者に対して画像配信サービスを提供すべく、サービス画面を表示するためのｈｔｍｌファイルを、送受信手段１１が利用者の通信端末５に送信する（ステップＳ１３）。なお、ユーザ認証がなされない場合には、その旨の情報を利用者の通信端末５に送信し、処理を終了する。
【００３０】
図５はサービス画面の表示内容の例を示す図である。図５に示すように、サービス画面３０には、利用者が登録した画像を画像管理サーバ１に登録しておく利用期間および画像の保管に際しての利用容量に応じた利用料金の情報３１が表示される。また、サービス画面３０には、登録した画像を公開するためのホームページにおいて使用可能なテンプレートの種類および利用料金を示すテンプレートの一覧３３が表示される。ここで、テンプレート一覧３３におけるテンプレートＣは、画像についてのコメントを挿入可能なテンプレートである。
【００３１】
利用者は利用料金の情報３１のチェックボックス３５チェックすることにより、所望とする利用期間および利用容量を選択することができる。また、テンプレートの一覧３３のチェックボックス３７をチェックすることにより、所望とするテンプレートを選択することができる。なお、図５においては、「１ヶ月  ５ＭＢｙｔｅ：１００円」のチェックボックス３５および１ページに付き画像を６枚挿入可能なテンプレートＡのチェックボックス３７がチェックされた状態を示す。
【００３２】
利用者の通信端末５は、サービス画面および通信端末５に記録されている画像を表示手段に表示する（ステップＳ１４）。なお、画像は通信端末５にインストールされている画像ビューアにより行う。利用者は画像ビューアに表示されている画像から、送信を希望する画像を選択し、利用者が選択した画像、選択したテンプレートの種類を表す情報（以下テンプレート情報とする）および利用者が選択した利用期間および利用容量の情報（以下、利用情報とする）を画像管理サーバ１に送信する（ステップＳ１５）。ここで、画像ビューアが画像に関するコメントを入力する機能を有する場合には、利用者は送信する画像のそれぞれに対してコメントを入力することができる。この場合、画像とともにコメントも画像管理サーバ１に送信される。
【００３３】
画像管理サーバ１の送受信手段１１が画像、テンプレート情報および利用情報を受信すると、情報処理手段２１がその利用者のユーザＩＤを画像の登録者ＩＤとして、登録者ＩＤについて画像管理サーバ１の利用料金の請求情報である基本料金情報を基本料金テーブルとして生成し、これを記録手段２５に記録することにより課金処理を行う（ステップＳ１６）。図６は基本料金テーブルの例を示す図である。図６に示すように基本料金テーブルには、画像を送信した利用者のユーザＩＤが登録者ＩＤとして登録されるとともに、利用容量、利用期間、選択テンプレートおよび請求料金についての情報が登録される。
【００３４】
情報処理手段２１は、基本料金テーブルを参照して、画像登録者に利用料金を通知するための電子メールを送信したり、画像登録者のクレジットカードから利用料金を引き落とすことができる。
【００３５】
さらに、情報処理手段２１は、利用者が送信した画像のそれぞれを記録手段２５に記録するとともに、画像の登録を行う（ステップＳ１７）。画像の登録は、画像の送信単位を表す送信ＩＤ、および各画像を一意に決定する画像ＩＤを発行し、登録者ＩＤ、送信ＩＤ、画像ＩＤ、記録手段２５における画像の保管場所のアドレス、および利用期間を登録した画像管理テーブルを生成することにより行う。
【００３６】
図７は画像管理テーブルの例を示す図である。図７に示すように、画像管理テーブルには、登録者ＩＤ、送信ＩＤ、画像ＩＤ、画像の保管場所のアドレスおよび利用期間が登録される。
【００３７】
さらに、情報処理手段２１は、登録された画像を公開する画像閲覧画面を表示するためのホームページを作成する（ステップＳ１８）。ホームページの作成は、送信ＩＤ単位で行い、画像登録者が送信した画像を画像登録者が選択したテンプレートに挿入することにより行う。
【００３８】
図８は作成されたホームページの例を示す図である。例えば、画像登録者が選択したテンプレートがテンプレートＡであり、一度に送信した画像が６枚である場合、情報処理手段２１は、図８に示すように６枚の画像をテンプレートＡに挿入したホームページを作成する。なお、画像登録者がテンプレートＣを選択し、かつ画像のコメントを画像とともに送信した場合には、図９に示すようにテンプレートＣに画像および画像のコメントを挿入したホームページを作成する。ここで、ホームページを作成する際には、画像はテンプレートの画像挿入領域のサイズに応じて適宜縮小され、画像ＩＤの順序で画像挿入領域に挿入される。
【００３９】
ホームページが作成されると、送受信手段１１がホームページのＵＲＬを含むとともに、ＵＲＬの配信先のメールアドレスの入力を行うメールアドレス入力画面を表示するためのｈｔｍｌファイルを画像登録者の通信端末５に送信する（ステップＳ１９）。
【００４０】
画像登録者の通信端末５は、メールアドレス入力画面を表示手段に表示する（ステップＳ２０）。画像登録者はＵＲＬを参照してホームページによる画像閲覧画面を通信端末５の表示手段に表示できる。そして、画像登録者はホームページのＵＲＬを通知する友人や家族等のメールアドレスをメールアドレス入力画面に入力し、送信の指示を行うと、通信端末５がメールアドレスを画像管理サーバ１に送信する（ステップＳ２１）。
【００４１】
画像管理サーバ１の送受信手段１１がメールアドレスを受信すると、情報処理手段２１がＵＲＬを通知するための電子メールを生成し、送受信手段１１がメールアドレス宛にＵＲＬ通知メールを送信し（ステップＳ２２）、処理を終了する。
【００４２】
次いで、画像登録者が登録した画像を利用者が閲覧する際に行われる処理について説明する。図１０は画像の閲覧時に行われる処理を示すフローチャートである。
【００４３】
利用者が通信端末５を操作して、ネットワーク３を介して画像管理サーバ１と通信の接続を行い、電子メールにて通知されたＵＲＬの表示の指示を画像管理サーバ１に対して行うことにより処理が開始され、利用者の通信端末５は画像を閲覧するための画像閲覧画面を表示手段に表示する（ステップＳ３１）。
【００４４】
図１１は画像閲覧画面の例を示す図である。図１１に示すように画像閲覧画面４０は、画像登録者が画像を登録した際に画像管理サーバ１が作成したホームページにより表されるものであり、画像の一覧領域４１および画像管理サーバ１が提供可能なサービスの種類を示すサービス領域４３を有する。サービス領域４３には、利用者が利用可能なサービスの種類がボタンとして表示される。本実施形態においては、利用者が選択した画像を携帯電話に送信するための「携帯へ」ボタン４３Ａ、プリント注文を行うための「プリント」ボタン４３Ｂおよびダウンロードするための「ダウンロード」ボタン４３Ｃが表示されている。
【００４５】
利用者は、画像の一覧領域４１から画像を選択し、サービス領域４３から所望とするサービス種類を選択してクリックすることにより、サービスの提供指示を画像管理サーバ１に対して行う（ステップＳ３２）。この際、利用者が画像管理サーバ１にすでにユーザ登録している場合には、ユーザＩＤをサービスの提供指示とともに画像管理サーバ１に送信する。
【００４６】
画像管理サーバ１の送受信手段１１は、サービスの提供指示を受信し、サービスの提供指示とともにユーザＩＤが送信されたか否かを判定する（ステップＳ３３）。ステップＳ３３が否定されると、ユーザ登録画面を表示するためのｈｔｍｌファイルを通信端末５に送信する（ステップＳ３４）。通信端末５は表示手段にユーザ登録画面を表示する（ステップＳ３５）。利用者はユーザ登録画面においてユーザ情報を入力し、通信端末５からユーザ登録を行うためにユーザ情報を画像管理サーバ１に送信する（ステップＳ３６）。
【００４７】
画像管理サーバ１の情報処理手段２１は、送信されたユーザ情報をユーザ管理テーブルとして記録手段２５に記録するとともにユーザＩＤを発行する（ステップＳ３７）。これに続いて、ユーザの認証を行う（ステップＳ３８）。なお、ステップＳ３３が肯定された場合もステップＳ３８に進み、ユーザの認証を行う。ユーザ認証がなされると、情報処理手段２１がその利用者のユーザＩＤを利用者ＩＤとして、画像管理サーバ１が提供するサービスの利用料金の請求情報である利用料金情報を利用料金テーブルとして生成し、これを記録手段２５に記録することにより課金処理を行う（ステップＳ３９）。
【００４８】
図１２は利用料金テーブルの例を示す図である。図１２に示すように利用料金テーブルには、サービスの提供指示を行った利用者のユーザＩＤが利用者ＩＤとして登録されるとともに、利用者が選択したサービスの種類（ここでは「携帯へ」）、サービスの提供指示を行った画像の画像ＩＤ（００１）および利用料金（１００円）についての情報が登録される。
【００４９】
情報処理手段２１は、利用料金テーブルを参照して、利用者に利用料金を通知するための電子メールを送信したり、利用者のクレジットカードから利用料金を引き落とすことができる。
【００５０】
そして、情報処理手段２１は、利用者が提供指示を行ったサービスを利用者に提供し（ステップＳ４０）、処理を終了する。
【００５１】
ここで、利用者がサービス種類として「携帯へ」を選択した場合には、情報処理手段２１は、携帯電話のメールアドレスを入力するための入力画面を利用者の通信端末５に表示し、利用者による送信先のメールアドレスの入力を受けて、利用者が選択した画像を携帯電話に表示可能なように加工し、加工した画像を送信先のメールアドレスに送信することによりサービスを提供する。
【００５２】
また、利用者がサービス種類として「プリント」を選択した場合には、情報処理手段２１は、通信端末５に表示するための画面を、画像のプリントを行う業者が所有するプリントサーバのウェブサイトに遷移させることによりサービスを提供する。利用者はプリントサーバのウェブサイトから、プリントサイズ、プリント枚数等の注文情報を入力して注文情報を生成することにより、プリントサーバが注文情報に応じて画像のプリントを行う。なお、プリントは利用者に配送される。
【００５３】
また、利用者がサービス種類として「ダウンロード」を選択した場合には、情報処理手段２１は、利用者が選択した画像を利用者の通信端末５へ送信することにより、サービスを提供する。
【００５４】
このように、本実施形態においては、画像登録者が画像管理サーバ１に画像を送信すると、送信した単位にて画像を公開するためのホームページを作成するようにしたため、画像登録者は、旅行や運動会等のイベント毎に取得した複数の画像を画像管理サーバ１に送信しさえすれば、画像を閲覧する画像閲覧画面を表示するためのホームページが作成されることとなる。したがって、ホームページに掲載する画像を選択したり、画像管理サーバに対してホームページの作成の指示を行う必要がなくなり、その結果、画像登録者に手間をかけさせることなく、画像登録者が送信した画像を公開することができる。
【００５５】
なお、上記実施形態においては、画像についてのコメントを挿入してホームページを作成した場合、後で画像登録者に対してホームページの修正を行わせるようにすることも可能である。この場合、画像閲覧画面には、図１３に示すように「登録者ログイン」ボタン４５が表示される。画像の登録者が登録者ログインボタン４５をクリックすると、画像登録者の認証を行うための認証画面が画像登録者の通信端末５に表示される。画像登録者が認証画面においてユーザＩＤを入力すると、ユーザＩＤが通信端末５から画像管理サーバ１に送信される。そして、画像管理サーバ１により送信したユーザＩＤが画像登録者のものであることが認証されると、図１４に示すように、画像登録者の通信端末５の表示手段に編集画面５０が表示される。図１４に示すように、編集画面５０には、画像の番号、ホームページのタイトルおよびコメントを編集可能な入力ボックス５１が含まれる。画像登録者は編集画面５０において、入力ボックス５１に入力されている内容を編集することにより、画像を表示する順序、コメントおよびホームページのタイトルを変更することができる。なお、変更後は更新ボタン５３をクリックすることにより、編集内容を反映させるためにホームページが更新される。
【図面の簡単な説明】
【００５６】
【図１】本発明の実施形態による画像管理サーバを適用した画像管理システムの構成を示す概略ブロック図
【図２】画像管理サーバの信号処理系のブロック図
【図３】ユーザ登録時に行われる処理を示すフローチャート
【図４】画像の登録時に行われる処理を示すフローチャート
【図５】サービス画面の表示内容の例を示す図
【図６】基本料金テーブルの例を示す図
【図７】画像管理テーブルの例を示す図
【図８】作成されたホームページの例を示す図
【図９】画像のコメントを挿入したホームページの例を示す図
【図１０】画像の閲覧時に行われる処理を示すフローチャート
【図１１】画像閲覧画面の例を示す図
【図１２】利用料金テーブルの例を示す図
【図１３】画像閲覧画面の他の例を示す図
【図１４】編集画面の例を示す図
【符号の説明】
【００５７】
１    画像管理サーバ
３    ネットワーク
５    通信端末
１１    送受信手段
１３    表示手段
１５    表示制御手段
１７    入力手段
１９    Ｉ／Ｏ
２１    情報処理手段
２３    メモリ
２５    記録手段
２７    カレンダ時計
２９    バス
【図１】
2005250651.tif 000003
【図２】
2005250651.tif 000004
【図３】
2005250651.tif 000005
【図４】
2005250651.tif 000006
【図５】
2005250651.tif 000007
【図６】
2005250651.tif 000008
【図７】
2005250651.tif 000009
【図８】
2005250651.tif 000010
【図９】
2005250651.tif 000011
【図１０】
2005250651.tif 000012
【図１１】
2005250651.tif 000013
【図１２】
2005250651.tif 000014
【図１３】
2005250651.tif 000015
【図１４】
2005250651.tif 000016